(57)【要約】【課題】  部品点数や組立工数を削減して弾球遊技機の生産コストを低減させるとともに、電気的なノイズに対するシールド効果を向上させた弾球遊技機の盤構造を提供する。【解決手段】  遊技盤３０の後方に取り付けられる裏機構盤を上部裏機構盤４１と下部裏機構盤４５とから構成する。そして下部裏機構盤４５は、前面側に流路形成部材４６０が取り付けられ、後面側に複数の回路基板８２，８３が取り付けられるベース部材４５０を備えて構成し、このベース部材４５０を複数の回路基板が取り付けられた状態で当該複数の回路基板の前方を一体的に覆う金属板で形成して弾球遊技機の盤構造を構成する。【選択図】  図４
2006192018.tif 000002
【特許請求の範囲】
【請求項１】
遊技球が落入可能な入賞装置を有する遊技盤を着脱可能に収容保持する収容枠が設けられた前枠と、前記入賞装置に遊技球が落入したときに遊技球を払い出す球払出機構及び前記遊技盤から排出された遊技球を機体の外部に排出する遊技済み球排出機構が設けられ前記前枠の後面側に取り付けられる裏機構盤とを備えた弾球遊技機において、
前記裏機構盤は、前記球払出機構を有して前記遊技盤の後方に開閉可能に設けられた上部裏機構盤と、前記遊技済み球排出機構を有し前記上部裏機構盤の下側に位置して後方に開閉可能に設けられた下部裏機構盤とからなり、
前記下部裏機構盤は、前面側に前記遊技済み球排出機構の流路形成部材が取り付けられ、後面側に前記弾球遊技機を作動させるための複数の回路基板が取り付けられるベース部材を備え、
前記ベース部材は、前記複数の回路基板が取り付けられた状態で当該複数の回路基板の前方を一体的に覆う金属板で形成されていることを特徴とする弾球遊技機の盤構造。
【請求項２】
前記ベース部材は、前記弾球遊技機のアース端子に電気的に接続され、前記複数の回路基板の前方全体がアース電位に地落されるように構成したことを特徴とする請求項１に記載の弾球遊技機の盤構造。
【請求項３】
前記ベース部材の側縁に、前記前枠に設けられた前枠側ヒンジ部材と係合連結されて、前記下部裏機構盤を前記前枠の後面側に開閉可能に支持させる下部裏機構盤ヒンジ部を形成したことを特徴とする請求項１または請求項２に記載の弾球遊技機の盤構造。
【発明の詳細な説明】
【技術分野】
【０００１】
本発明は、遊技盤を着脱可能に収容保持する収容枠が設けられた前枠と、入賞状態に応じて遊技球を払い出す球払出機構及び遊技盤から排出された遊技球を機体の外部に排出する遊技済み球排出機構が設けられて前枠の後面側に取り付けられた裏機構盤とを備えた弾球遊技機の盤構造に関する。
【背景技術】
【０００２】
上記のような前枠及び裏機構盤を備えた弾球遊技機として、例えばパチンコ機や雀球遊技機、アレンジボール機などが広く知られている。この種の遊技機の代表例とされるパチンコ機では、ベニヤとも称される化粧板の前面に、多数本の遊技釘とともに風車、固定入賞具、図柄表示装置、種々の可動入賞装置や可動装飾装置などの遊技部品が取り付けられた遊技盤が用いられ、この遊技盤が開閉搭載枠たる前枠に取り付けられ、その後方に裏機構盤と称される機構セット盤が取り付けられて一体のパチンコ機が形成される。
【０００３】
パチンコ機では、製造工場における生産機種の変更や、遊技施設におけるいわゆる盤面換え等を容易に行い得るように、遊技盤を着脱可能に収容する収容枠が前枠の前面側または後面側に形成され、この収容枠に機種ごとに異なるゲージ設定で形成された遊技盤が収容され係止保持されるようになっている。一方、遊技盤の後方に位置して前枠の後面側に取り付けられる裏機構盤は、遊技盤における入賞状態に応じて遊技球を払い出す球払出機構、遊技盤から排出された遊技球を機体の外部に排出する遊技済み球排出機構が設けられるとともに、パチンコ機の作動を制御する電源基板や球払出制御基板、主制御基板などの各種回路基板が、不正改造されないように基板ケースに収められた状態で着脱可能に取り付けられる。
【０００４】
近年のパチンコ機は、ゲーム展開の多様化、複雑化等を目的としてマイクロプロセッサを用いたコンピュータゲーム化が進展するとともに、遊技球発射装置や球払出装置等の各制御装置も省スペースや省電力の要請に対応して回路基板の小型化が進展しており、従来の機械的な機構制御ではあまり大きな障害とされなかった電気的ノイズに起因する問題がクローズアップされるようになってきている。例えば、樹脂製の供給樋を転動流下する過程で静電気を帯びた遊技球が、パチンコ機の内部で金属部材に接したときに放電してスパーク状の静電ノイズを放出し、これが回路基板の入力信号に混入して誤動作の原因になったりマイクロプロセッサの内部回路に損傷を与えたりするという問題や、遊技者がパチンコ機の前方で強力な電磁ノイズを発生させ、パチンコ機を誤動作させて不正に賞球を払い出させる不正行為の問題などが顕在化するようになってきた。
【０００５】
このため近年では、球通路の途上に金属製のアース板を設け転動流下する遊技球と接触させて電位を吸収する構成（例えば、特許文献１を参照）、球貯留タンクやタンクレール、裏機構盤の基枠体など球通路を形成する部材を導電性の樹脂材料を用いて成型することで静電ノイズの発生を抑制する構成、回路基板を収容する基板ケースと裏機構盤との間に金属製のシールド板を挟んで取り付けることにより、回路基板を電磁的にシールドして前方から放出された電気的ノイズの影響を受けにくくする構成などが考案されている（例えば、特許文献２を参照）。
【０００６】
【特許文献１】特開２００３−１６４６３７号公報（第１６〜１７頁、第６〜１０図）
【特許文献２】特開２００３−１４４７１３号公報（第６〜１２頁、第６〜２２図）
【発明の開示】
【発明が解決しようとする課題】
【０００７】
しかしながら、従来の裏機構盤の盤構造では、回路基板を保護するシールド板が各種回路基板に対応してそれぞれ独立して製作され、裏機構盤側にも基板ケースの装着構造とは別に、シールド板を取り付けるための装着構造が各シールド板に対応して形成されていた。このため、裏機構盤に装着される回路基板の数量に応じて多種のシールド板とこれらを装着するための装着構造とが必要になり、部品点数の増大及び裏機構盤の複雑化を招くとともに、組付け工数も増大してパチンコ機の生産コストが上昇するという問題があった。
【０００８】
また裏機構盤の前面側には、遊技盤から排出された遊技済み球をパチンコ機の外部に排出させる遊技済み球排出通路や、遊技球の球抜き処理を行う球抜き通路等の球通路が設けられており、これらの球通路を転動落下する遊技球からの静電ノイズや、遊技者が不正目的のもとパチンコ機の前方で発生させた電磁ノイズが、その発生部位に応じた入射角度で裏機構盤に斜めに入射する。ところが従来のシールド板は、基板ケースの装着構造との兼ね合いから基板ケースよりも幾分小さめに形成されており、斜め前方で放射されたこれらの電気的ノイズに対して十分な効果を得難いという問題や、基板ケースと導電性樹脂材料で形成された裏機構盤との間に埋め込まれるように配設されて裏機構盤との接触により電位を落としていたため、シールド板自体の電位が変動するという問題、シールド板に熱が貯まりやすいという問題などがあった。
【０００９】
本発明は上記のような問題に鑑みてなされたものであり、部品点数や組立工数を削減して弾球遊技機の生産コストを低減させるとともに、電気的なノイズに対するシールド効果を高めた弾球遊技機の盤構造を提供することを目的とする。
【課題を解決するための手段】
【００１０】
上記目的達成のため、本発明は、遊技球が落入可能な入賞装置を有する遊技盤を着脱可能に収容保持する収容枠が設けられた前枠と、入賞装置に遊技球が落入したときに遊技球を払い出す球払出機構及び遊技盤から排出された遊技球を機体の外部に排出する遊技済み球排出機構が設けられ前枠の後面側に取り付けられる裏機構盤とを備えた弾球遊技機の盤構造に関するものである。そのうえで、本発明では、裏機構盤を、球払出機構を有して遊技盤の後方に開閉可能に設けられた上部裏機構盤と、遊技済み球排出機構を有し上部裏機構盤の下側に位置して後方に開閉可能に設けられた下部裏機構盤とから構成する。そして下部裏機構盤は、前面側に遊技済み球排出機構の流路形成部材が取り付けられ、後面側に弾球遊技機を作動させるための複数の回路基板（例えば、実施形態における球払出制御基盤８２及び電源基盤８３）が取り付けられるベース部材（例えば、実施形態における下部ベース４５０）を備えて構成し、このベース部材を複数の回路基板が取り付けられた状態で当該複数の回路基板の前方を一体的に覆う金属板で形成して弾球遊技機の盤構造を構成する。
【００１１】
またベース部材は、弾球遊技機のアース端子に電気的に接続され、複数の回路基板の前方全体がアース電位に地落されるように構成する。
【００１２】
なお、ベース部材の側縁に、前枠に設けられた前枠側ヒンジ部材（例えば、実施形態における前枠側下ヒンジ部材２５３）と係合連結されて、下部裏機構盤を前枠の後面側に開閉可能に支持させる下部裏機構盤ヒンジ部を形成することが好ましい。
【発明の効果】
【００１３】
上記盤構造では、前枠の後面側に配設される裏機構盤を、上部裏機構盤と下部裏機構盤とから構成し、下部裏機構盤は、前面側に遊技済み球排出機構の流路形成部材が取り付けられ、後面側に弾球遊技機を作動させるための複数の回路基板が取り付けられるベース部材を備えて構成し、このベース部材を複数の回路基板の前方を一体的に覆う金属板で形成する。このため、これらの複数の回路基板についてシールド板を製作し及び下部裏機構盤に装着する必要が無く、部品点数の削減及び下部裏機構盤の構成を簡明化するとともに、組付け工数も削減してパチンコ機の生産コストを低減することができる。
【００１４】
またベース部材を複数の回路基板の前方全体を覆うように構成しているため、ベース部材の前面側に設けられた遊技済み球排出通路を転動落下する遊技球から放出される静電ノイズや、遊技者がパチンコ機の前方で発生させた電磁ノイズなど、回路基板の斜め前方から放射された電気的ノイズに対してもシールド効果を発揮させること（例えば、左右の回路基板の間を通って斜めに入射しようとする電気的ノイズを遮断すること）ができ、併せて熱だまりの問題を解決することができる。
【００１５】
また、ベース部材を弾球遊技機のアース端子に電気的に接続して複数の回路基板の前方全体をアース電位に地落させることで、わずか１箇所のアース接続のみで複数の回路基板に対するシールド効果をより安定的かつ効果的に発揮させることができる。またベース部材の前面側に遊技済み球排出機構の流路形成部材が取り付けられており、この流路形成部材の後方にアース電位に地落されたベース部材が配設される。このため、例えば遊技済み球排出通路の後面側の通路壁をベース部材で形成し、あるいは流路形成部材とベース部材との間にアース板を挟持固定してアース板を遊技済み球排出通路に配設し、または流路形成部材を導電性の樹脂材料を用いて形成することにより、遊技済み球排出通路を転動落下する遊技球の電位を吸収するアース構造を容易に構成することができ、簡明な構成で電気的ノイズ発生の抑制と、放射された電気的ノイズに対するシールド効果とを両立させた盤構造を提供することができる。
【００１６】
さらに、ベース部材の側縁に下部裏機構盤ヒンジ部を一体的に形成することで、下部裏機構盤全体の構成を簡明化して生産コストを低減できるとともに、ヒンジ機構を含めた下部裏機構盤の強度を向上させることができる。またベース部材がヒンジ部を介して前枠側のヒンジ部材に電気的に接続されるため、前枠側のヒンジ部材を介してアース接続することも可能であり、着脱及び揺動開閉される下部裏機構盤のベース部材にアース線をネジ固定して張り渡すよりも組み立て作業を容易化することができる。さらにヒンジ部が放熱部としても機能するため、回路基板の冷却効果を向上させることができる。
【００１７】
従って、以上のような本発明の盤構造によれば、部品点数や組立工数を削減してパチンコ機の生産コストを低減可能であるとともに、電気的なノイズに対するシールド効果を高めた弾球遊技機の盤構造を提供することができる。
【発明を実施するための最良の形態】
【００１８】
以下、本発明を実施するための形態について添付図面を参照しながら説明する。本発明に係る枠構造の前枠を備えた弾球遊技機の一例として、図１〜図５の各図に、遊技盤を前枠の後方から着脱する遊技盤後方脱着形態のパチンコ機を例示しており、まずこれらの図面を参照してパチンコ機ＰＭの全体構成について要約説明する。ここで、図１はパチンコ機ＰＭを斜め前方から見た斜視図、図２は前面のガラス扉５及び上球皿６を横開き開放した状態の斜視図、図３はパチンコ機ＰＭを斜め後方から見た斜視図、図４は前枠２を外枠１の前方に開放し上部裏機構盤４１を前枠２の後方に開放した状態の斜視図、図５は上部裏機構盤４１に加えて下部裏機構盤４５を前枠２の後方に開放した状態の斜視図である。
【００１９】
パチンコ機ＰＭは、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構３ａ，３ｂにより前方に横開き開閉及び着脱が可能に取り付けられ、正面右側に設けられた施錠装置４を利用して常には外枠１と係合連結された閉止状態に保持される。
【００２０】
前枠２の前面側では、前側面域に合わせた方形状のガラス扉５及び上球皿６が横開き開閉及び着脱可能に組付けられるとともに、上球皿６の下側に下球皿７、発射ハンドル８が組付けられ、前枠２の下部後面側に遊技球発射装置９の駆動機構部が装備されている。
【００２１】
前枠２の上部には、遊技盤３０の前面を支持する前方支持部２１と、前方支持部から後方に突出して化粧板３１の周囲を囲む上下左右の枠壁２３（２３Ｕ，２３Ｄ，２３Ｌ，２３Ｒ）とを有する収容枠２０が前枠２と一体に形成されている。枠内の対角位置には化粧板に形成された支軸受容孔３５と係合して遊技盤３０を位置決めする位置決め支軸２５が設けられるとともに、収容枠２０の周囲には化粧板３１の裏面と係脱自在な係止レバー５２を有する係止保持構造５０が設けられており、この収容枠２０に所定のゲージ設定で構成された遊技盤３０が前枠後方から着脱可能に収容されて位置決めされ、係止保持構造５０の係止レバー５２を回動して化粧板３１の裏面に係合させることで係止保持されて、常には閉鎖保持されるガラス扉５に遊技盤正面の遊技領域ＰＡを臨ませている。収容枠２０の下側には遊技補助盤と称される補助機構部１０が設けられ、その前面側に遊技球発射装置９の発射機構部や下部スピーカなどが設けられている。
【００２２】
遊技盤３０は、例えば板厚１９mm程度の積層合板の表面にセルを貼り付けてルーター加工した化粧板３１を基板とし、化粧板側３１の前面に取り付けられた内レール部材３７及び前枠２に形成された内外のレール部２１ａ，２１ｂにより、遊技盤３０の収容状態において略円形の遊技領域ＰＡが形成される。遊技領域ＰＡには、何れも詳細図示省略するが、多数本の遊技釘が化粧板３１の前面に突設されるとともに、遊技球が落入可能な固定入賞装置、電動チューリップ型やアタッカー型の可動入賞装置、遊技の展開状況に応じた図柄を表示する図柄表示装置を備えた中央飾りなどが取り付けられ、遊技領域ＰＡの下端部には化粧板３１を前後に貫通するアウト口３８が開口形成されている。
【００２３】
前枠２の裏面側に裏機構盤４０が設けられている。裏機構盤４０には、入賞に対する褒賞としての遊技球を払い出す賞球の払出機構や球抜き機構、遊技盤３０から排出されたセーフ球やアウト球等の遊技済み球を遊技施設の回収装置に導く遊技済み球排出通路４６６、パチンコ機ＰＭの作動を制御する主制御基板や遊技球の払い出し作動を制御する球払出制御基板８２、各制御装置や電子部品に電力を供給する電源基板８３などの各種回路基盤が取り付けられ、これらがコネクタケーブルで接続されてパチンコ機ＰＭが作動可能に構成される。
【００２４】
パチンコ機ＰＭは、上球皿６及びガラス扉５が閉止施錠された状態で遊技に供され、上球皿６の球受け皿に遊技球を貯留させて発射ハンドル８を操作することで遊技が開始される。発射ハンドル８において発射操作が行われると、上球皿６に貯留された遊技球が１球ずつ遊技球発射装置９に送り出され、遊技球発射装置のハンマーにより遊技領域ＰＡに打ち出されてパチンコゲームが展開される。
【００２５】
このように概要構成されるパチンコ機ＰＭにあって、前枠２の後面側に設けられた裏機構盤４０に本発明に係る盤構造が適用されている。以下、図６〜図１０の各図を併せて参照しながら裏機構盤４０の構成について詳細に説明する。ここで、図６は上部裏機構盤４１の背面図、図７は通路カバー４３２を取り外した状態で示す図６中のVII矢視方向の側面図、図８は上部裏機構盤４１のヒンジ機構を説明する側断面図（図６におけるVIII−VIII矢視方向の側断面図）、図９は下部裏機構盤４５の背面図、図１０は下部裏機構盤４５のヒンジ機構を説明する側断面図（図９におけるX−X矢視方向の側断面図）である。
【００２６】
裏機構盤４０は、貯留タンク部４２１ａに貯留された遊技球を上下の球皿６，７に払い出す球払出機構及び球抜き機構を有して遊技盤３０の後方に設けられた上部裏機構盤４１と、遊技盤３０から排出されたアウト球やセーフ球等の遊技済み球を遊技施設の回収装置に導く遊技済み球排出機構を有し上部裏機構盤４１の下側に設けられた下部裏機構盤４５とからなる。
【００２７】
上部裏機構盤４１は、その構成を形態的に大別すると、この機構盤の基体となるベースフレーム４１０と、球貯留タンク及び球払出装置を有しベースフレーム４１０の上部に取り付けられた球貯留払出アッセンブリ４２０と、球貯留払出アッセンブリ４２０から払い出された遊技球を上球皿または遊技済み球排出機構に導く球通路を有しベースフレーム４１０の下部に取り付けられた球通路アッセンブリ４３０とからなり、ベースフレーム４１０に球貯留払出アッセンブリ４２０及び球通路アッセンブリ４３０が組付けられて一体の上部裏機構盤４１が形成される。
【００２８】
ベースフレーム４１０は、平坦な支持プレート部４１１と、この支持プレート部４１１の外周に形成されたリブ４１２，４１２…、及び支持プレート部４１１の右側縁上下に形成された上部裏機構盤ヒンジ部４１３，４１３などからなり、所定板厚の金属板、例えば板厚1.2〜2.3mm程度の鋼板を、打ち抜き、曲げ、バーリング及びタッピング加工し、並びにヒンジピンをカシメ固着等して図示する形状に成形し、必要に応じてクロメート処理等の表面処理を施して構成される。
【００２９】
支持プレート部４１１は、球貯留払出アッセンブリ４２０及び球通路アッセンブリ４３０の前方全体を一体的に覆うように、これらのアッセンブリ４１０，４２０の後方からの投影形状よりも大きめの逆L字状に形成されており、各部には、球貯留払出アッセンブリ４２０及び球通路アッセンブリ４３０をネジ固定するための雌ネジ部、ベースフレーム４１０を前枠後面側に閉止保持させるためのナイロンファースナー４１８，４１８の装着孔などが形成されている。
【００３０】
リブ４１２は、平坦な支持プレート部４１１の外周縁部が高さ5〜10mm程度で後方または前方に曲げ起こされて支持プレート部４１１の周囲を囲むように形成されており、ベースフレーム４１０の曲げ剛性を高めるとともに、後方に曲げ起こした盤面中央寄りのリブ（貯留タンク部４１２ａの下側と球払出装置４２５及び球通路アッセンブリ４３０の左側のリブ）が球貯留払出アッセンブリ４２０及び球通路アッセンブリ４３０の前端部を覆い、斜め前方から入射する電気的ノイズに対して電磁シールド効果を高めた構成になっている。
【００３１】
上部裏機構盤ヒンジ部４１３，４１３は、支持プレート部４１１の右側縁の上下端部が水平に切り起こされて前方に突出する舌片状のヒンジプレート４１３ｂ，４１３ｂと、各ヒンジプレートの先端側にカシメ固着されて下方に突出するヒンジピン４１３ｃ，４１３ｄとからなり、ベースフレーム４１０に一体に形成されている。上下のヒンジピン４１３ｃ，４１３ｄは、下方のヒンジピン４１３ｄの方が上方のヒンジピン４１３ｃよりも幾分長めに設定されるとともに、各ヒンジピン４１３ｃ，４１３ｄの先端には先細円錐状の導入部が形成されている。
【００３２】
一方、前枠２の右側縁に、上記上部裏機構盤ヒンジ部４１３，４１３に対応して、前枠側上ヒンジ金具２１３，２１３が取り付けられている。前枠側上ヒンジ金具は、前枠２の後面にネジ固定されたヒンジベース２１３ａ，２１３ａと、このヒンジベースから水平に後方に突出する舌片状のヒンジプレート２１３ｂ，２１３ｂとからなり、各ヒンジプレートの先端側にヒンジピン４１３ｃ，４１３ｄの軸径よりもわずかに大きめの内径を有するピン受容孔２１３ｃ，２１３ｄが穿設されている。前枠側上ヒンジ金具２１３，２１３は、上下のヒンジプレート２１３ｂ，２１３ｂの配設間隔が、上部裏機構盤ヒンジ部のヒンジプレート４１３ｂ，４１３ｂの間隔に合わせて前枠後面の所定高さ位置に配設される。
【００３３】
球貯留払出アッセンブリ４２０は、入賞に対する褒賞としての遊技球（賞球）を貯留する貯留タンク部４２１ａ、貯留タンク部と滑らかに繋がって貯留タンク部に貯留された遊技球を１列に整列させて下方の球払出装置４２５に導くタンクレール部４２１ｂ、及び球払出装置４２５を着脱可能に装着保持する機構装着部４２１ｃを有し、導電性のフィラーを混入した樹脂材料を用いて一体成型されたアッセンブリベース４２１を基体とし、ここにタンクレール部４２１ｂの上方を覆うレールカバー４２３、タンクレール部４２１ｂの下流部に設けられて遊技球の流下を規制可能な球止め機構（不図示）、アッセンブリベースの機構装着部４２１ｃに設けられタンクレール部４２１ｂから導かれた遊技球を払い出す球払出装置４２５などが組付けられて構成される。
【００３４】
貯留タンク部４２１ａは、平面視横長で上面及び右面開放の箱状をなし底面は緩く右傾してタンクレール部４２１ｂに繋がっている。タンクレール部４２１ｂは、平面視において貯留タンク部４２１の前後の壁面と滑らかに繋がり通路幅が徐々に絞られて狭くなるロート状をなし、底面は貯留タンク部よりも幾分大きな傾斜角をもって右傾して形成される。タンクレール部４２１ｂの下流部では通路幅が遊技球の直径よりもわずかに大きい程度の凹溝状になっており、貯留タンク部４２１ａから供給された遊技球を整列させる整列通路が形成される。整列通路の上方にはこの通路を上下に重なって流下する遊技球を平らに均す重錘式の球均し振り子が揺動自在に枢支され、整列通路の下流端部には上下連通して開口する出口開口が形成されている。このため、タンクレール部を流下する遊技球が流下する過程で１列に整列され、出口開口から直下に位置する球払出装置４２５の導入口に導かれるようになっている。
【００３５】
球払出装置４２５は、外周に遊技球を受け入れる球受容溝を有して左右に延びる軸まわりに回動可能に設けられたスプロケット状の球送り回転盤と、この球送り回転盤を正・逆方向（図７に示す貯留タンク部側から見た側面視において時計廻り・反時計廻り）に回転駆動する球払出モータ、球送り回転盤及び球払出モータを収容するハウジングなどを主体として構成され、アッセンブリベースの機構装着部４２１ｃに着脱可能に装着されて係止保持される。ハウジングの上端部には、タンクレール４２１ｂの出口開口と位置整合して遊技球を受け入れる導入口が開口形成され、ハウジングの下端部には、後方に第１球払出口、前方に第２球払出口が前後に並んで開口形成されている。
【００３６】
このため、導入口から導入された遊技球はハウジング内で球送り回転盤の球受容溝に受け入れられ、球送り回転盤の回動とともにハウジング内を後方または前方に転動して、ハウジング下端の第１球払出口または第２球払出口から払い出される。例えば、球払出モータが正転され球送り回転盤が正方向（図７に示す側面視において時計廻り、以下同じ）に回動されると、球送り回転盤の球受容溝に受け入れられた遊技球が球送り回転盤の回動とともにハウジング内を時計廻りに転動し、ハウジングの下端部後方の第１球払出口から払い出される。また球払出モータが逆転され球送り回転盤が逆方向（上記同様に図７に示す側面視において反時計廻り、以下同じ）に回動されると、球受容溝に受け入れられた遊技球が球送り回転盤の回動とともにハウジング内を反時計廻りに転動し、ハウジングの下端部前方の第２球払出口から払い出される。
【００３７】
球払出装置４２５は、下部裏機構盤４５に取り付けられた球払出制御基板８２により作動が制御され、球払出制御基板８２から入力された指令信号に基づいた回動方向及び回動角度で球送り回転盤か回転作動される。本実施形態では、所定の入賞条件が成立したときに球送り回転盤を時計廻りに回動させて後方の第１球払出口から遊技球を払い出させ、所定の球抜き操作が行われたときに球送り回転盤を反時計廻りに回動させて前方の第２球払出口から遊技球を払い出させるように構成した例を示している。なお遊技作動時における球払出装置４２５の具体的な制御形態については後に説明する。
【００３８】
球通路アッセンブリ４３０は、全体として前後方向幅が比較的厚く左右方向幅が狭い矩形断面で上下方向に長い桟状をなし、上下の端部が屈曲されて背面視コの字状に形成されている。球通路アッセンブリ４３０は、左側面が開放されて内部に前後２列の屈曲した通路溝が形成された通路形成部材４３１と、この通路形成部材の開放面を覆う通路カバー４３２などからなり、通路形成部材４３１は導電性のフィラーを混入した樹脂材料を用いて成型され、通路カバー４３２は透明な樹脂材料を用いて成型される。
【００３９】
通路形成部材４３１には、図７に示すように、前後に蛇行しつつ上下に延びるリブ状の中央通路壁４３１ｃと、この中央通路壁４３１ｃの前方及び後方に遊技球の直径よりも幾分大きめの間隔をおいて略平行に上下に延びる前方通路壁４３１ｆ及び後方通路壁４３１ｒを有し、中央通路壁４３１ｃを挟む前後に各１列の蛇行した平断面視凹状の通路溝を形成する。そして通路形成部材４３１の開放面に通路カバー４３２を取り付けることで、前後２列の球通路４３５，４３６が形成され、球払出装置４２５から払い出された遊技球を前後の球通路４３５，４３６に沿って転動流下させる球通路アッセンブリ４３０が構成される。
【００４０】
球通路アッセンブリの上端部において上方に開口する球通路４３５の入り口（第１球入り口）４３５ａ及び球通路４３６の入り口（第２球入り口）４３６ａは、それぞれ球払出装置４２５の第１球払出口及び第２球払出口の配設位置に合わせて形成されており、後列側の球通路４３５が賞球としての遊技球を球皿６，７に導く球払出通路、前列側の球通路４３６が遊技球を機体の外部に導く球抜き通路になっている。
【００４１】
球通路アッセンブリ４３０は、球入り口の直下で右斜め下方に屈曲され、通路形成部材４３１の右側面がベースフレーム４１０の右側縁に合わせて形成されている。またベースフレーム４１０の左側縁はこのように右側に寄せられた球通路アッセンブリの左側面に合わせて形成され、上部裏機構盤４１の左右方向幅が球払出装置近傍の幅よりも狭くなっている。このため、第１及び第２球入り口４３５ａ，４３６ａから流入した遊技球の落下速度が屈曲部で緩和されるとともに、上部裏機構盤４１の幅が狭小化された領域で遊技盤３０の後面側に広いスペースを確保でき、例えば、遊技盤３０に配設される入賞装置の配設位置の自由度を拡大し、あるいは遊技盤３０の裏面側に取り付けられる各種回路基板の大きさや配設位置の自由度を拡大することができる。
【００４２】
球通路アッセンブリ４３０の上下中間部では、球抜き通路４３６及び球払出通路４３５が中央通路壁４３１ｃを挟んで隣接し、前後平行に複数回折り返されて蛇行形成されている。このため、上下に延びるこれらの球通路を転動流下する遊技球の速度を過度に増加させることなく軽快に流下させ得るとともに、複数列の球通路でありながら簡明な構造で前後方向の厚さを最小限に抑えた構成になっている。
【００４３】
球通路アッセンブリ４３０の下部は、左斜め下方に折り曲げられて球払出通路４３５及び球抜き通路４３６が傾斜通路とされ、球通路アッセンブリ４３０の下端部に下方に開く第１球出口４３５ｂ，第２球出口４３６ｂが形成される。球払出通路４３５の出口である第１球出口４３５ｂと球抜き通路４３６の出口である第２球出口４３６ｂとは前後左右にオフセットされており、傾斜通路が短く形成された球抜き通路４３６の第２球出口４３６ｂが前方右側に、傾斜通路が長く形成された球払出通路４３５の第１球出口４３５ｂが後方左側に位置して配設される。
【００４４】
このように構成される球貯留払出アッセンブリ４２０及び球通路アッセンブリ４３０は、それぞれアッセンブリベース４２１及び通路形成部材４３１がベースフレーム４１０にネジ固定されてベースフレームの上部及び下部に取り付けられ、遊技球の貯留、払出、球止め及び球抜き機能を備えた一体の上部裏機構盤４１が形成される。球貯留払出アッセンブリ４２０及び球通路アッセンブリ４３０がベースフレーム４１０にネジ固定されると、両アッセンブリはベースフレーム４１０により前方全体が一体的に覆われ、この上部裏機構盤に設けられた球払出装置４２５や、詳細図示省略する外部接続端子基板などの電気・電子部品が、前方から射出される電気的ノイズからシールドされる。
【００４５】
また、球貯留払出アッセンブリ４２０のアッセンブリベース４２１及び球通路アッセンブリ４３０の通路形成部材４３１はともに導電性の樹脂材料で成型され、これらがベースフレーム４１０に支持されたうえ直接ネジ固定されているため、ベースフレーム４１０の何れか１箇所をアース電位に地落させることで、貯留タンク部４２１ａ〜第１球出口４３５ｂまたは第２球出口４３６ｂまでの球通路全体をアース電位に地落させることができ、この球通路を転動流下する遊技球の電位を吸収させて静電ノイズの発生を抑制することができる。
【００４６】
上部裏機構盤４１は、ベースフレーム４１０の右側縁上下に設けられた上部裏機構盤ヒンジ部４１３，４１３と前枠２の右側縁上下に取り付けられた前枠側上ヒンジ金具２１３，２１３のヒンジピンとピン受容孔との嵌合を利用して前枠２の裏面側に着脱可能に装着され、ヒンジ連結された状態で後方に横開き開閉可能に配設される。
【００４７】
ここで、上部裏機構盤ヒンジ部４１３，４１３における上下のヒンジプレート４１３ｂ，４１３ｂの間隔と、前枠側上ヒンジ金具２１３，２１３における上下のヒンジプレート２１３ｂ，２１３ｂの間隔とは同一に設定される一方、上部裏機構盤ヒンジ部４１３，４１３における上下のヒンジピン４１３ｃ，４１３ｄにはピン先端部に円錐状の導入部が形成されるとともに、ヒンジピンの長さは下方のヒンジピン４１３ｄの方が長く形成されている。このため、上部裏機構盤ヒンジ部４１３，４１３と前枠側上ヒンジ金具２１３，２１３とを連結させる際には、まず下方のヒンジピン４１３ｄとピン受容孔２１３ｄに着目してこれらを先に位置合わせして嵌合させ、次いで上方のヒンジピン４１３ｃとピン受容孔２１３ｃを位置合わせして嵌合させればよく、容易に上下２箇所のヒンジ部とヒンジ金具とを嵌合させてヒンジ連結できるようになっている。
【００４８】
上部裏機構盤４１は、上記のように上部裏機構盤４１を前枠２の裏面側にヒンジ連結させた状態で、上部裏機構盤４１の上端（ベースフレーム４１０の上端）が外枠１における上枠杆の内面の高さ位置よりも低く配設されてこれらの間に数mm程度のクリアランスが確保され、上部裏機構盤４１の下端（球通路アッセンブリ４３０の下端）が収容枠に収容された遊技盤３０の下端面（化粧板３１の下端面）と略同一の高さ位置に配設されるように構成されている。
【００４９】
上部裏機構盤４１の下側に設けられる下部裏機構盤４５は、この機構盤の基盤となる下部ベース４５０と、この下部ベース４５０の前面側に設けられた流路形成部材４６０とを主体とし、下部ベース４５０に流路形成部材４６０が組付けられて一体の下部裏機構盤４５が形成される。
【００５０】
下部ベース４５０は、全体として横長方形の扉状をなし、球払出制御基盤８２及び電源基盤８３を左右に並べて装着可能な幅及び高さを有する平坦なプレート部４５１と、このプレート部４５１の右端が前方に折り曲げられて平面視コの字状に成形されたヒンジ台座部４５２、ヒンジ台座部４５２から前方に突出する下部裏機構盤ヒンジ部４５３，４５３およびプレート部４５１の外周に設けられたリブ４５５，４５５…などからなり、プレート部４５１を挟む前面側に主として遊技球を流下させる球処理関係の構造、後面側に主として回路基板を搭載する基板関係の構造が設けられる。下部ベース４５０は、所定板厚の金属板、例えば板厚1.2〜2.3mm程度の鋼板を、打ち抜き、曲げ、バーリング及びタッピング加工し、並びにヒンジピンをカシメ固着等して図示する形状に成形し、必要に応じてクロメート処理等の表面処理を施して構成される。
【００５１】
プレート部４５１は、球払出制御基盤８２及び電源基盤８３を左右に並べた装着面積よりも大きな幅及び高さを有して平坦に形成され、上下及び左方の周縁は10mm程度の高さで後方に曲げ起こされてプレート部４５１の周囲を取り囲むリブ４５５が形成されている（図９及び図１０を参照）。リブ４５５は、プレート部４５１の周囲を囲むように形成されており、下部ベース４５０の曲げ剛性を高めるとともに、左右に延びるプレート部４５１及び後方に曲げ起こしたリブ４５５が球払出制御基板８２及び電源基板８３の上下前端部を覆い、斜め前方から入射する電気的ノイズを遮断する構成になっている。
【００５２】
プレート部４５１の前面側には、遊技済み球排出機構を構成する流路形成部材４６０が取り付けられている（図５を参照）。流路形成部材４６０は、プレート部４５１にネジ固定される背面プレート部４６１と、この背面プレート部４６１から前方に突出する壁面形態の集合樋４６５，４６５とを主体として構成され、導電性のフィラーを混入して導電性を付与した樹脂材料で一体に成型される。
【００５３】
背面プレート部４６１は、左右の集合樋４６５，４６５の間を繋ぐとともに、これらの壁面よりも側方に張り出されてフランジ部が形成され、ここにプレート部４５１の後面側から挿通されたネジを受容して螺合するネジ受容孔が形成されている。背面プレート部４６１は、左右の集合樋４６５，４６５の間においてプレート部４５１の前面を覆い、転動落下する遊技球が金属製のプレート部４５１に直接当接して騒音を生じないように衝突音を和らげる機能を有している。
【００５４】
左右の集合樋４６５，４６５は下方に向けて壁面間隔が狭くなるＶ字状に形成されて遊技球を集合流下させる遊技済み球排出通路４６６が形成され、その下端部には上下に連通する球排出口４６６ｂが開口形成されている。左右の集合樋４６５，４６５の形状寸法及び配設位置は、遊技盤側の遊技済み球の排出範囲（例えば、化粧板３１の裏面にネジ固定される球寄せカバーの開口範囲）、及び上部裏機構盤４１の第２球出口４３６ｂの配設位置に基づいて設定されており、上下の裏機構盤４１，４５を閉鎖した遊技状態において、遊技盤３０から排出された遊技済み球及び上部裏機構盤の第２球出口４３６ｂから排出された遊技球が、左右の集合樋４６５，４６５に受け止められて球排出通路４６６を流下し、下端の球排出口４６６ｂから排出されるようになっている。
【００５５】
流路形成部材４６０は、プレート部４５１の後面側から形成されたサラ孔形態のネジ挿通孔にサラコネジを挿通し、フランジ部に形成されたネジ受容孔に螺合させて締め込むことでプレート部４５１の前面側にネジ固定される。これにより、導電性樹脂材料で成型された流路形成部材４６０全体が下部ベース４５０電気的に接続され、下部ベースと同電位に保持される。
【００５６】
プレート部４５１の後面側には、基板ケースに収められた球払出制御基板８２及び電源基板８３を着脱可能に装着する基板装着部４７０が形成されている。球払出制御基板８２及び電源基板８３には、それぞれ基板ケースの背面に沿って左右に突出する舌片状の金属製支持脚８２ｆ，８３ｆが各４箇所設けられており、プレート部４５１の中央には両回路基板８２，８３の間に位置して各中央寄りの支持脚２箇所を受容する反円弧状の支持脚受容スロット４７１ｓが形成された脚部係止プレート４７１が溶接等の手段により固着され、左右側方には外寄りの支持脚各２箇所の配設位置に合わせて支持脚固定ネジ４７７を受容するネジ孔が形成されている。このため、球払出制御基板８２及び電源基板８３は、それぞれ中央寄りの支持脚２箇所を支持脚受容スロット４７１ｓに差し込んで係合させ、外寄りの支持脚２箇所をプレート部４５１に支持させて支持脚固定ネジ４７７で固定することにより、各回路基板ごとに基板装着部４７０に着脱可能に構成されている。
【００５７】
ここで、電源基盤の支持脚８３ｆは、電源基板８３に設けられたアース端子と電気的に接続され、球払出制御基盤の支持脚８２ｆは、この回路基盤８２のアース回路と電気的に接続されている。そして電源基板８３のアース端子は、パチンコ機ＰＭを遊技島に設置固定する際に遊技島側のアース回路に接続されアース電位に接地される。このため電源基板８３を基板装着部４７０に取り付けると、下部ベース４５０全体がアース電位に接地され、この下部ベース４５０にネジ固定された球払出制御基盤８２および流路形成部材４６０が別途のアース配線を行うことなくアース電位に保持されるようになっている。
【００５８】
プレート部４５１の右端側は、電源基盤８３の装着位置よりも右方に延出されて平面視コの字状のヒンジ台座部４５２が形成され、ヒンジ台座部４５２の前方辺に、下部裏機構盤ヒンジ部４５３，４５３が形成されている。ヒンジ台座部４５２には、コの字状に折り曲げられた各辺を結んで補強リブ４５４，４５４が溶接等の手段により固着されており、下部裏機構盤４５の開閉に伴うヒンジ台座部４５２や下部裏機構盤ヒンジ部４５３の撓み変形を抑制するとともに、放熱面積を拡大した構成になっている。
【００５９】
下部裏機構盤ヒンジ部４５３，４５３は、ヒンジ台座部４５２の前方辺の上下が水平に切り起こされて前方に突出する舌片状のヒンジプレート４５３ｂ，４５３ｂと、各ヒンジプレートの先端側にカシメ固着されて下方に突出するヒンジピン４５３ｃ，４５３ｄとからなり、下部ベース４５０に一体に形成されている。上下のヒンジピン４５３ｃ，４５３ｄは、下方のヒンジピン４５３ｄの方が上方のヒンジピン４５３ｃよりも幾分長めに設定されるとともに、各ヒンジピンの先端には先細円錐状の導入部が形成されている。
【００６０】
一方、前枠２の右側縁に、下部裏機構盤ヒンジ部４５３，４５３に対応して、前枠側下ヒンジ金具２５３，２５３が取り付けられている。前枠側下ヒンジ金具は、前枠２の後面にネジ固定されたヒンジベース２５３ａ，２５３ａと、このヒンジベースから水平に後方に突出する舌片状のヒンジプレート２５３ｂ，２５３ｂとからなり、各ヒンジプレートの先端側にヒンジピン４５３ｃ，４５３ｄの軸径よりもわずかに大きめの内径を有するピン受容孔２５３ｃ，２５３ｄが穿設されている。前枠側下ヒンジ金具２５３，２５３は、上下のヒンジプレート２５３ｂ，２５３ｂの配設間隔が、下部裏機構盤ヒンジ部のヒンジプレート４５３ｂ，４５３ｂの間隔に合わせて前枠後面の所定高さ位置に配設される。なお上下２箇所の前枠側下ヒンジ金具２５３，２５３のうち上方の前枠側下ヒンジ金具と、上下２箇所の前枠側上ヒンジ金具２１３，２１３のうち下方の前枠側下ヒンジ金具とが、詳細図示省略するアース線で接続されている。
【００６１】
このように構成される下部裏機構盤４５は、下部ベース４５０の右側縁上下に設けられた下部裏機構盤ヒンジ部４５３，４５３と前枠２の右側縁上下に取り付けられた前枠側下ヒンジ金具２５３，２５３のヒンジピンとピン受容孔との嵌合を利用して前枠２の裏面側に着脱可能に装着され、ヒンジ連結された状態で後方に横開き開閉可能に配設される。
【００６２】
ここで、下部裏機構盤ヒンジ部４５３及び前枠側下ヒンジ金具２５３の上下ヒンジプレートの配設間隔が同一に設定される一方、下部裏機構盤ヒンジ部４５３における上下のヒンジピン４５３ｃ，４５３ｄの長さは、下方のヒンジピン４５３ｄの方が上方のヒンジピン４５３ｃよりも長く形成されている。このため、下部裏機構盤ヒンジ部４５３と前枠側上ヒンジ金具２５３とを連結させる際に、まず下方のヒンジピン４５３ｄとピン受容孔２５３ｄに着目してこれらを先に嵌合させ、次いで上方のヒンジピン４５３ｃとピン受容孔２５３ｃを嵌合させればよく、容易に上下２箇所のヒンジ部とヒンジ金具とを嵌合させてヒンジ連結できるようになっている。
【００６３】
下部裏機構盤４５は、上記のように下部裏機構盤４５を前枠２の裏面側にヒンジ連結させた状態で、下部裏機構盤４５の上端（下部ベース４５０の上端）が収容枠に収容された遊技盤３０の下端面（化粧板３１の下端面）よりも下方に位置し、下部裏機構盤４５の下端が外枠１における幕板の上面よりも上方に位置するように構成している。このため、下部裏機構盤４５をヒンジ連結させた状態で遊技盤３０は下部裏機構盤４５よりも上方に位置しており、上部裏機構盤４１を開放すれば下部裏機構盤４５を前枠２に閉止させた状態のままで、遊技盤３０を収容枠に着脱することができる。
【００６４】
そして、上記のように前枠２の裏面側に開閉可能にヒンジ連結された上部裏機構盤４１及び下部裏機構盤４５を前枠２の後方を覆うように閉止し、上部裏機構盤４１におけるベースフレーム４１０の上部、下部裏機構盤４５における下部ベース４５０の左部に設けられた各閉止保持部材、例えば図示するナイロンファースナー４１８，４５８を利用して閉鎖状態に係止保持させる。そして、下部裏機構盤４５におけるプレート部後面の基盤装着部４７０に、基盤ケースに収められた球払出制御基盤８２及び電源基盤８３を装着固定し、これらの回路基盤とパチンコ機の各部に取り付けられた他の回路基盤、あるいは球払出装置４２５等の電気部品とをコネクタ接続することでパチンコ機ＰＭが構成される。
【００６５】
ところで、下部裏機構盤４５の前方に位置する前枠裏面側では、前枠２から後方に突出して上面及び前面開放の箱状の賞球出口樋２３５が形成されており、上球皿６の閉鎖姿勢において前方に位置する上球皿の皿本体と繋がっている。また賞球出口樋２３５は、上下の裏機構盤４１，４５が閉鎖されると、下部裏機構盤４５における左右の集合樋４６５，４６５の間に位置して配設され、賞球出口樋２３５の開口直上に上部裏機構盤４１における球払出通路４３５の第１球出口４３５ｂが、賞球出口樋２３５よりも右側の上方に上部裏機構盤４１における球抜き通路４３６の第２球出口４３６ｂが配設される。
【００６６】
すなわち、上下の裏機構盤４１，４５の閉鎖姿勢では、上部裏機構盤４１の第１球出口４３５ｂが賞球出口樋２３５の直上に位置して球払出通路４３５が賞球出口樋２３５を介して上球皿６に繋がり、上部裏機構盤４１の第２球出口４３６ｂが賞球出口樋２３５の側部上方に位置して球抜き通路４３６が遊技済み球通路４６６に繋がるように配設される。
【００６７】
このため、遊技盤３０において所定の入賞条件が成立すると、球払出制御基盤８２から球払出装置４２５に入賞条件に応じた球払出指令信号が出力され、これを受けた球払出装置４２５が球払出指令信号に基づいて球送り回転盤を正方向に所定回転角度分（例えば払い出される遊技球の球数で１３個に相当する回転角度分）だけ回転作動させて、第１球払出口から遊技球を払い出させる。払い出された遊技球は、前後に蛇行する球払出通路４３５を通って流下速度が緩和され、下端の第１球出口４３５ｂから賞球出口樋２３５に落下しこの賞球出口樋２３５に案内されて上球皿６に流下する。
【００６８】
一方、遊技盤３０において何れかの入賞装置に落入したセーフ球、及び入賞装置に落入することなく遊技領域ＰＡの下端まで落下してアウト口３８から排出されたアウト球は、下部裏機構盤４５の集合樋４６５に受け止められて遊技済み球排出通路４６６に集合され、この通路下端の球排出口４６６ｂから基体外部（遊技島の球回収装置）に排出される。
【００６９】
また、パチンコ機ＰＭにおいて所定の球抜き操作、例えばハートキーと称される作業用の操作ピンによりパチンコ機の前面側から機体内部の球抜きスイッチが押圧操作されて、球払出制御基盤８２から球払出装置４２５に球抜き指令信号が出力されると、球払出装置４２５は球抜き指令信号に基づいて球送り回転盤を逆方向に所定回転角度分（例えば貯留タンク部４２１ａに貯留された遊技球を全量排出させる時間に相当する回転角度分）だけ回転作動させて、第２球払出口から遊技球を払い出させる。払い出された遊技球は、前後に蛇行する球抜き通路４３６を通って流下速度が緩和され、下端の第２球出口４３６ｂから集合樋４６５に落下し遊技済み球排出通路４６６を通って下端の球排出口４６６ｂから機体外部に排出される。
【００７０】
以上のように構成されるパチンコ機ＰＭでは、裏機構盤４０を上部裏機構盤４１と下部裏機構盤４５とから構成し、それぞれ独立して前枠２の後方に着脱及び開閉可能に取り付けるとともに、下部裏機構盤４５の上端面の形状及び配設位置を、下部裏機構盤４５の前方に位置する遊技盤３０の下端面よりも下方に位置するように設定している。このため、パチンコ機ＰＭの保守作業や点検作業等を行おうとする作業者は、目的とする作業内容に応じて上下何れかの裏機構盤を単独で開放して効率的に作業を行うことができる。例えば、遊技盤３０の裏面側に設けられた入賞検出器を交換するような場合、あるいは遊技盤３０を着脱交換する盤面換え作業等を行う場合には、下部裏機構盤４５を前枠２に閉止させた状態のまま上部裏機構盤４１のみを開放して交換作業を行うことができ、前枠下部の裏面側に設けられた遊技球発射装置９のロータリーソレノイドや発射制御基盤の保守作業を行う場合には、下部裏機構盤４５のみを開放して保守作業を行うことができる。
【００７１】
また上部裏機構盤４１を、球貯留払出アッセンブリ４２０、球通路アッセンブリ４３０、及びこれらを支持するベースフレーム４１０から構成し、このベースフレーム４１０を球貯留払出アッセンブリ４２０及び球通路アッセンブリ４３０の前方を一体的に覆う金属板で形成している。このため、上部裏機構盤４１の前方に位置する遊技盤３０の前・後面を転動落下する遊技球から放出される静電ノイズや、遊技者がパチンコ機の前方で発生させた電磁ノイズ等に対して、ベースフレーム４１０が電磁的なシールド部材として機能し、上部裏機構盤４１の後面側に搭載された球払出装置４２５や外部接続端子基板などの電気・電子部品への電気的ノイズの混入を防止して誤動作を抑制することができる。
【００７２】
また、ベースフレーム４１０をアース端子に電気的に接続して貯留払出アッセンブリ４２０及び球通路アッセンブリ４３０の前方全体をアース電位に地落させることで、わずか１箇所のアース接続のみで複数の回路基板に対するシールド効果をより安定的かつ効果的に発揮させることができることに加え、貯留払出アッセンブリ４２０及び球通路アッセンブリ４３０に形成される賞球通路に対するアース配線も大幅に簡略化することができ、アッセンブリベース４２１や通路形成部材４３１を導電性の樹脂材料を用いて形成することにより個別のアース線を廃止することも可能である。このため、簡明な構成で電気的ノイズ発生の抑制と、放射された電気的ノイズに対するシールド効果とを両立させた盤構造を提供することができる。
【００７３】
そして、ベースフレーム４１０の右側縁上下に、上部裏機構盤４１を開閉可能に支持する上部裏機構盤ヒンジ部を一体的に形成することで、上部裏機構盤全体の構成を簡明化して生産コストを低減できるとともに、前枠側上部ヒンジ部材２１３が上部裏機構盤ヒンジ部４１３と電気的に接続されるため、何れか一方をアース端子に接続することで各部をアース電位に地落させることができ、例えば本実施例に開示したように上下の前枠側ヒンジ部材２１３，２５３をアース線で接続することで、ベースフレーム４１０が上下のヒンジ機構及び下部ベース４５０を介して電源基板８３のアース端子に電気的に接続されるため、ベースフレーム４１０に対するアース配線を廃止することができる。
【００７４】
一方、下部裏機構盤４５を、前面側に流路形成部材４６０が取り付けられ後面側に複数の回路基板８２，８３が取り付けられる下部ベース４５０を備えて構成し、この下部ベース４５０を複数の回路基板の前方を一体的に覆う金属板で形成している。このため、下部ベース前面側の遊技済み球排出通路４６６を転動落下する遊技球から放出される静電ノイズや、遊技者がパチンコ機の前方で発生させた電磁ノイズなどの電気的ノイズを遮蔽して高いシールド効果を発揮させることができる。また回路基板８２，８３の左右側方に延びてプレート部４５１を形成し、さらにヒンジ台座部４５２、補強リブ４５４、リブ４５５を形成することにより、回路基板８２，８３が発生した熱の放熱面積を拡大して冷却効果を向上させた盤構造を提供することができる。
【００７５】
また、下部ベース４５０をアース端子に電気的に接続して複数の回路基板の前方全体をアース電位に地落させることで、わずか１箇所のアース接続のみで複数の回路基板に対するシールド効果をより安定的かつ効果的に発揮させることができ、さらに下部ベース４５０の前面側に形成される遊技済み球排出通路４６６に対するアース配線も大幅に簡略化し、あるいは流路形成部材４６０を導電性の樹脂材料を用いて形成することによりアース線を廃止することができる。このため、簡明な構成で電気的ノイズ発生の抑制と、放射された電気的ノイズに対するシールド効果とを両立させた盤構造を提供することができる。
【００７６】
さらに、下部ベース４５０の側縁に下部裏機構盤ヒンジ部を一体的に形成することで、下部裏機構盤全体の構成を簡明化して生産コストを低減できるとともに、前枠側下部ヒンジ部材２５３が下部裏機構盤ヒンジ部４５３と電気的に接続されるため、何れか一方をアース端子に接続することで各部をアース電位に地落させることができ、例えば本実施例に開示したように上下の前枠側ヒンジ部材２１３，２５３をアース線で接続することにより、上下の裏機構盤４１，４５にアース線を設けることなく、各球通路や回路基板をアース接続することが可能である。
【００７７】
従って、以上説明したような本発明の盤構造によれば、裏機構盤の前方から放射される電気的ノイズに対する耐性が高く、かつ配線工数や組立工数を削減して生産コストを低減させた弾球遊技機の盤構造を提供することができる。
【図面の簡単な説明】
【００７８】
【図１】本発明に係る枠構造を適用した弾球遊技機の一例として示す、パチンコ機を斜め前方から見た斜視図である。
【図２】前面のガラス扉及び球皿ユニットを横開き開放した状態の上記パチンコ機の斜視図である。
【図３】上記パチンコ機を斜め後方から見た斜視図である。
【図４】上記パチンコ機における前枠を外枠の前方に開放し上部裏機構盤を前枠の後方に開放した状態の斜視図である。
【図５】上部裏機構盤に加えて下部裏機構盤を前枠の後方に開放した状態の斜視図である。
【図６】上部裏機構盤の背面図である。
【図７】通路カバーを取り外した状態で示す図６中のVII矢視方向の側面図である。
【図８】上部裏機構盤のヒンジ機構を説明する側断面図（図６におけるVIII−VIII矢視方向の側断面図）である。
【図９】下部裏機構盤の背面図である。
【図１０】下部裏機構盤のヒンジ機構を説明する側断面図（図９におけるX−X矢視方向の側断面図）である。
【符号の説明】
【００７９】
ＰM  パチンコ機
１  外枠
２  前枠
２０  収容枠
３０  遊技盤
４０  裏機構盤
４１  上部裏機構盤
４５  下部裏機構盤
８２  球払出制御基盤
８３  電源基盤
２１３  前枠側上ヒンジ金具
２５３  前枠側下ヒンジ金具
４１０  ベースフレーム
４１３  上部裏機構盤ヒンジ部
４２０  球貯留払出アッセンブリ
４２５  球払出装置
４３０  球通路アッセンブリ
４５０  下部ベース
４５３  下部裏機構盤ヒンジ部
４６０  流路形成部材
４６６  遊技済み球排出通路
４７０  基盤装着部
【図１】
2006192018.tif 000003
【図２】
2006192018.tif 000004
【図３】
2006192018.tif 000005
【図４】
2006192018.tif 000006
【図５】
2006192018.tif 000007
【図６】
2006192018.tif 000008
【図７】
2006192018.tif 000009
【図８】
2006192018.tif 000010
【図９】
2006192018.tif 000011
【図１０】
2006192018.tif 000012